【手続補正書】
【提出日】平成17年10月12日(2005.10.12)
【手続補正１】
【補正対象書類名】明細書
【補正対象項目名】特許請求の範囲
【補正方法】変更
【補正の内容】
【特許請求の範囲】
【請求項１】
静電潜像担持体を帯電させる工程；
帯電させた該静電潜像担持体に静電潜像を形成する工程；
該静電潜像担持体上にトナー像を形成するために、該静電潜像をトナー担持体上に担持されているトナーによって現像する工程；及び
該静電潜像担持体上のトナー像を転写材に転写する工程；を有し、
該静電潜像担持体が導電性支持体上に少なくとも感光層を有する感光体であり、該感光体の表面層が少なくとも下記式（１）で示される構成単位を有する重合体で形成された画像形成装置に適用されるトナーであり、
【化１】
2004184578.tif 000001
〔上記式中、Ｘは−ＣＲ13Ｒ14−（Ｒ13及びＲ14は各々独立に水素原子、トリフルオロメチル基、炭素数１〜６のアルキル基または炭素数６〜１２のアリール基である）、置換されていてもよい炭素数５〜１１の１，１−シクロアルキレン基、炭素数２〜１０のα，ω−アルキレン基、単結合、−Ｏ−、−Ｓ−、−ＳＯ−または−ＳＯ2−である。また、Ｒ1〜Ｒ12は各々独立に水素原子、ハロゲン原子、置換されていてもよいアルキル基、アリール基またはアルキレン基であり、ｎは整数である。〕
該トナーは結着樹脂、炭化水素系ワックス及び着色剤を少なくとも含有し、
該ワックス成分が示差走査熱量計（ＤＳＣ）により測定されるＤＳＣ曲線において７０〜１４０℃に最大吸熱ピークを有し、該最大吸熱ピークが呈する融解熱ΔＨ（Ｊ／ｇ）と該トナーの密度ｄ（ｇ／ｃｍ3）の積ｄ・ΔＨ（Ｊ／ｃｍ3）の値が８乃至１８であることを特徴とするトナー。
【請求項２】
上記感光体の表面層がフッ素系樹脂粒子をさらに含有する請求項１に記載のトナー。
【請求項３】
上記融解熱ΔＨ（Ｊ／ｇ）と該トナーの密度ｄ（ｇ／ｃｍ3）の積ｄ・ΔＨ（Ｊ／ｃｍ3）の値が１０乃至１６である請求項１または２に記載のトナー。
【請求項４】
上記ワックスがフィッシャートロプシュ法による炭化水素系ワックスである請求項１乃至３のいずれかに記載のトナー。
【請求項５】
上記着色剤が磁性体であり、該磁性体は、結着樹脂１００質量部当り６５〜２００質量部含有されている請求項１乃至４のいずれかに記載のトナー。
【請求項６】
上記磁性体は結着樹脂１００質量部当り７０〜１５０質量部含有されている請求項５に記載のトナー。
【請求項７】
上記着色剤が磁性酸化鉄であり、その形状が八面体である請求項５または６に記載のトナー。
【請求項８】
上記トナーが、疎水化処理されたシリカ微粉体で外添されている請求項１乃至７のいずれかに記載のトナー。
【請求項９】
上記シリカ微粉体がシリコーンオイルで処理されている請求項８に記載のトナー。
【請求項１０】
静電潜像担持体を帯電させる工程；
帯電させた該静電潜像担持体に静電潜像を形成する工程；
該静電潜像担持体上にトナー像を形成するために、該静電潜像をトナー担持体上に担持されているトナーによって現像する工程；及び
該静電潜像担持体上のトナー像を転写材に転写する工程；を有する画像形成装置において、
該静電潜像担持体が導電性支持体上に少なくとも感光層を有する感光体であり、該感光体の表面層が少なくとも下記式（１）で示される構成単位を有する重合体で形成され、
【化２】
2004184578.tif 000002
〔上記式中、Ｘは−ＣＲ13Ｒ14−（Ｒ13及びＲ14は各々独立に水素原子、トリフルオロメチル基、炭素数１〜６のアルキル基または炭素数６〜１２のアリール基である）、置換されていてもよい炭素数５〜１１の１，１−シクロアルキレン基、炭素数２〜１０のα，ω−アルキレン基、単結合、−Ｏ−、−Ｓ−、−ＳＯ−または−ＳＯ2−である。また、Ｒ1〜Ｒ12は各々独立に水素原子、ハロゲン原子、置換されていてもよいアルキル基、アリール基またはアルキレン基であり、ｎは整数である。〕
該トナーは結着樹脂、炭化水素系ワックス及び着色剤を少なくとも含有し、
該ワックス成分が示差走査熱量計（ＤＳＣ）により測定されるＤＳＣ曲線において７０〜１４０℃に最大吸熱ピークを有し、該最大吸熱ピークが呈する融解熱ΔＨ（Ｊ／ｇ）と該トナーの密度ｄ（ｇ／ｃｍ3）の積ｄ・ΔＨ（Ｊ／ｃｍ3）の値が８乃至１８であることを特徴とする画像形成装置。
【請求項１１】
上記感光体の表面層がフッ素系樹脂粒子をさらに含有する請求項１０に記載の画像形成装置。
【請求項１２】
上記融解熱ΔＨ（Ｊ／ｇ）と該トナーの密度ｄ（ｇ／ｃｍ3）の積ｄ・ΔＨ（Ｊ／ｃｍ3）の値が１０乃至１６である請求項１０または１１に記載の画像形成装置。
【請求項１３】
上記ワックスがフィッシャートロプシュ法による炭化水素系ワックスである請求項１０乃至１２のいずれかに記載の画像形成装置。
【請求項１４】
上記着色剤が磁性体であり、該磁性体は、結着樹脂１００質量部当り６５〜２００質量部含有されている請求項１０乃至１３のいずれかに記載の画像形成装置。
【請求項１５】
上記磁性体は結着樹脂１００質量部当り７０〜１５０質量部含有されている請求項１４に記載の画像形成装置。
【請求項１６】
上記着色剤が磁性酸化鉄であり、その形状が八面体である請求項１４または１５に記載の画像形成装置。
【請求項１７】
上記トナーが、疎水化処理されたシリカ微粉体で外添されている請求項１０乃至１６のいずれかに記載の画像形成装置。
【請求項１８】
上記シリカ微粉体がシリコーンオイルで処理されている請求項１７に記載のトナー。
【請求項１９】
静電潜像担持体を帯電させる工程；
帯電させた該静電潜像担持体に静電潜像を形成する工程；
該静電潜像担持体上にトナー像を形成するために、該静電潜像をトナー担持体上に担持されているトナーによって現像する工程；及び
該静電潜像担持体上のトナー像を転写材に転写する工程；を有する画像形成装置において、少なくとも該静電潜像担持体と現像手段とを一体化し、該画像形成装置に着脱可能に取り付けられるプロセスカートリッジであって、
該静電潜像担持体が導電性支持体上に少なくとも感光層を有する感光体であり、該感光体の表面層が少なくとも下記式（１）で示される構成単位を有する重合体で形成され、
【化３】
2004184578.tif 000003
〔上記式中、Ｘは−ＣＲ13Ｒ14−（Ｒ13及びＲ14は各々独立に水素原子、トリフルオロメチル基、炭素数１〜６のアルキル基または炭素数６〜１２のアリール基である）、置換されていてもよい炭素数５〜１１の１，１−シクロアルキレン基、炭素数２〜１０のα，ω−アルキレン基、単結合、−Ｏ−、−Ｓ−、−ＳＯ−または−ＳＯ2−である。また、Ｒ１〜Ｒ１２は各々独立に水素原子、ハロゲン原子、置換されていてもよいアルキル基、アリール基またはアルキレン基であり、ｎは整数である。〕
該トナーは結着樹脂、炭化水素系ワックス及び着色剤を少なくとも含有し、
該ワックス成分が示差走査熱量計（ＤＳＣ）により測定されるＤＳＣ曲線において７０〜１４０℃に最大吸熱ピークを有し、該最大吸熱ピークが呈する融解熱ΔＨ（Ｊ／ｇ）と該トナーの密度ｄ（ｇ／ｃｍ3）の積ｄ・ΔＨ（Ｊ／ｃｍ3）の値が８乃至１８であることを特徴とするプロセスカートリッジ。
【請求項２０】
上記感光体の表面層がフッ素系樹脂粒子をさらに含有する請求項１９に記載のプロセスカートリッジ。
【請求項２１】
上記融解熱ΔＨ（Ｊ／ｇ）と該トナーの密度ｄ（ｇ／ｃｍ3）の積ｄ・ΔＨ（Ｊ／ｃｍ3）の値が１０乃至１６である請求項１９または２０に記載のプロセスカートリッジ。
【請求項２２】
上記ワックスがフィッシャートロプシュ法による炭化水素系ワックスである請求項１９乃至２１のいずれかに記載のプロセスカートリッジ。
【請求項２３】
上記着色剤が磁性体であり、該磁性体は、結着樹脂１００質量部当り６５〜２００質量部含有されている請求項１９乃至２２のいずれかに記載のプロセスカートリッジ。
【請求項２４】
上記磁性体は結着樹脂１００質量部当り７０〜１５０質量部含有されている請求項２３に記載のプロセスカートリッジ。
【請求項２５】
上記着色剤が磁性酸化鉄であり、その形状が八面体である請求項２３または２４に記載のプロセスカートリッジ。
【請求項２６】
上記トナーが、疎水化処理されたシリカ微粉体で外添されている請求項１９乃至２５のいずれかに記載のプロセスカートリッジ。
【請求項２７】
上記シリカ微粉体がシリコーンオイルで処理されている請求項２６に記載のプロセスカートリッジ。